(57)【要約】【課題】通電時の大きな温度勾配の発生を抑制する態様でより十分な発熱量を得ることができる加熱装置を提供する。【解決手段】加熱装置９２は、導電性のセラミックス円筒体１０と、内側電極２０と、外側電極３０を含む。セラミックス円筒体１０の径方向に延びる同一の軸線ＲＬ上に配置された複数の第１リブ１１を含むようにセラミックス円筒体１０の径方向に直線的に延びる非直線部１３が、セラミックス円筒体１０において放射状に配列される。内側電極２０及び外側電極３０は、内側電極２０と外側電極３０の間で少なくとも非直線部１３を介して放射状に電流が流れるように設けられる。【選択図】図３
2020068096.tif 000002
【特許請求の範囲】
【請求項１】
セラミックス円筒体の周方向に沿ってセルが配置されたセル配列が同心円状に配置された導電性のセラミックス円筒体と、
前記セラミックス円筒体の内壁部に電気的に結合した内側電極と、
前記セラミックス円筒体の外壁部に電気的に結合した外側電極を備え、
前記セラミックス円筒体の前記内壁部と前記外壁部の間で複数回の屈曲又は湾曲を伴いながら前記セラミックス円筒体の径方向に沿って延びる非直線部が、前記セラミックス円筒体において放射状に配列され、
前記内側電極及び前記外側電極は、前記内側電極と前記外側電極の間で少なくとも前記非直線部を介して放射状に電流が流れるように設けられる、加熱装置。
【請求項２】
前記非直線部は、前記セラミックス円筒体の径方向に延びる複数の第１リブを含み、前記複数の第１リブは、前記セラミックス円筒体の径方向に延びる隣接した軸線上に交互に配置される、請求項１に記載の加熱装置。
【請求項３】
前記非直線部は、前記軸線に交差するように延びる複数の第２リブを含み、同一の前記軸線上で隣接する第１リブは、隣接する前記軸線上の１つの第１リブと２つの第２リブを介して結合する、請求項２に記載の加熱装置。
【請求項４】
前記セルは、多角形状の開口形状を有する、請求項１乃至３のいずれか一項に記載の加熱装置。
【請求項５】
前記セルの少なくとも１つの角部にはＲ面が設けられる、請求項４に記載の加熱装置。
【請求項６】
前記非直線部の屈曲回数は、前記セル配列の数よりも大きい、請求項１乃至５のいずれか一項に記載の加熱装置。
【請求項７】
前記内側電極及び／又は前記外側電極は、筒状電極である、請求項１乃至６のいずれか一項に記載の加熱装置。
【請求項８】
前記筒状電極は、前記セラミックス円筒体の前記内壁部の内壁面の全域に亘って形成され、又は、前記セラミックス円筒体の前記外壁部の外壁面の全域に亘って形成される、請求項７に記載の加熱装置。
【請求項９】
前記筒状電極にはその周方向に沿って配置された溝が設けられる、請求項７又は８に記載の加熱装置。
【請求項１０】
前記セラミックス円筒体の内径をＲ１とし、前記セラミックス円筒体の外径をＲ２とするとき、
０．３＜（Ｒ１／Ｒ２）
を満足する、請求項１乃至９のいずれか一項に記載の加熱装置。
【請求項１１】
前記セラミックス円筒体の内径をＲ１とし、前記セラミックス円筒体の外径をＲ２とするとき、
０．６＜（Ｒ１／Ｒ２）
を満足する、請求項１乃至１０のいずれか一項に記載の加熱装置。
【請求項１２】
排気ガスが流れる流路と、
請求項１乃至１１のいずれか一項に記載の加熱装置と、
前記流路における排気ガスの流れ方向において前記加熱装置よりも下流側に設けられる排気ガス浄化装置と、
前記加熱装置に含まれる前記セラミックス円筒体の前記セルが提供する第１流路と前記セラミックス円筒体の前記セルにより囲まれた筒穴が提供する第２流路の間で前記排気ガスの流路を切り替える切り替え部を備える、システム。
【請求項１３】
セラミックス円筒体の周方向に沿ってセルが配置されたセル配列が同心円状に配置された導電性のセラミックス円筒体を押出成形に基づいて製造する工程と、
前記セラミックス円筒体に対して内側電極を固定する工程と、
前記セラミックス円筒体に対して外側電極を固定する工程を含み、
前記セラミックス円筒体の内壁部と外壁部の間で複数回の屈曲又は湾曲を伴いながら前記セラミックス円筒体の径方向に沿って延びる非直線部が、前記セラミックス円筒体において放射状に配列され、
前記内側電極及び前記外側電極は、前記内側電極と前記外側電極の間で少なくとも前記非直線部を介して放射状に電流が流れるように設けられる、加熱装置の製造方法。
【請求項１４】
前記セラミックス円筒体に対して内側電極を固定する工程は、前記セラミックス円筒体に対して前記内側電極を冷やし嵌め又は圧入する工程を含む、請求項１３に記載の加熱装置の製造方法。
【請求項１５】
前記セラミックス円筒体に対して外側電極を固定する工程は、前記セラミックス円筒体に対して前記外側電極を焼き嵌めする工程を含む、請求項１３又は１４に記載の加熱装置の製造方法。
【請求項１６】
前記セラミックス円筒体と前記内側電極の間には中間層が設けられる、請求項１３乃至１５のいずれか一項に記載の加熱装置の製造方法。
【請求項１７】
前記セラミックス円筒体と前記外側電極の間には中間層が設けられる、請求項１３乃至１６のいずれか一項に記載の加熱装置の製造方法。
【発明の詳細な説明】
【技術分野】
【０００１】
本開示は、加熱装置及びその製造方法、並びにシステムに関する。
【背景技術】
【０００２】
特許文献１は、同文献の図１に開示のように、電極１２、１３間でセラミックハニカム構造体２０Ａを通電加熱することで、セラミックハニカム構造体２０Ａに担持された触媒を活性温度まで昇温する装置を開示する（同文献の段落００３２も併せて参照）。
【０００３】
特許文献２は、セラミックス製の主モノリス触媒の上流側に配置されるメタルモノリス触媒を開示する。メタルモノリス触媒においては、その中心軸上に一方の電極が設けられ、メタルモノリス触媒の外枠が他方の電極として用いられる（同文献の図４参照）。メタルモノリス触媒の径方向内側部分の発熱量が径方向外側部分における発熱量よりも大きい（同文献の図４参照）。メタルモノリス触媒の径方向内側部分へのガスの流入量が、メタルモノリス触媒の径方向外側部分へのガスの流入量よりも大きい。従って、メタルモノリス触媒の横断面の温度分布が均一化される（同文献の図６参照）。
【先行技術文献】
【特許文献】
【０００４】
【特許文献１】国際公開第２０１６／１６３４２３号
【特許文献２】実開昭６３−６７６０９号公報
【発明の概要】
【発明が解決しようとする課題】
【０００５】
通電時の大きな温度勾配の発生を抑制する態様でより十分な発熱量を得ることができる加熱装置を提供することが望まれる。
【課題を解決するための手段】
【０００６】
本開示の一態様に係る加熱装置は、セラミックス円筒体の周方向に沿ってセルが配置されたセル配列が同心円状に配置された導電性のセラミックス円筒体と、
前記セラミックス円筒体の内壁部に電気的に結合した内側電極と、
前記セラミックス円筒体の外壁部に電気的に結合した外側電極を備え、
前記セラミックス円筒体の前記内壁部と前記外壁部の間で複数回の屈曲又は湾曲を伴いながら前記セラミックス円筒体の径方向に沿って延びる非直線部が、前記セラミックス円筒体において放射状に配列され、
前記内側電極及び前記外側電極は、前記内側電極と前記外側電極の間で少なくとも前記非直線部を介して放射状に電流が流れるように設けられる。
【０００７】
幾つかの形態では、前記非直線部は、前記セラミックス円筒体の径方向に延びる複数の第１リブを含み、前記複数の第１リブは、前記セラミックス円筒体の径方向に延びる隣接した軸線上に交互に配置される。
【０００８】
幾つかの形態では、前記非直線部は、前記軸線に交差するように延びる複数の第２リブを含み、同一の前記軸線上で隣接する第１リブは、隣接する前記軸線上の１つの第１リブと２つの第２リブを介して結合する。
【０００９】
幾つかの形態では、前記セルは、多角形状の開口形状を有する。
【００１０】
幾つかの形態では、前記セルの少なくとも１つの角部にはＲ面が設けられる。
【００１１】
幾つかの形態では、前記非直線部の屈曲回数は、前記セル配列の数よりも大きい。
【００１２】
幾つかの形態では、前記内側電極及び／又は前記外側電極は、筒状電極である。
【００１３】
幾つかの形態では、前記筒状電極は、前記セラミックス円筒体の前記内壁部の内壁面の全域に亘って形成され、又は、前記セラミックス円筒体の前記外壁部の外壁面の全域に亘って形成される。
【００１４】
幾つかの形態では、前記筒状電極にはその周方向に沿って配置された溝が設けられる。
【００１５】
幾つかの形態では、前記セラミックス円筒体の内径をＲ１とし、前記セラミックス円筒体の外径をＲ２とするとき、０．３＜（Ｒ１／Ｒ２）を満足する。
【００１６】
幾つかの形態では、前記セラミックス円筒体の内径をＲ１とし、前記セラミックス円筒体の外径をＲ２とするとき、０．６＜（Ｒ１／Ｒ２）を満足する。
【００１７】
本開示の一態様に係るシステムは、排気ガスが流れる流路と、
上記記載の加熱装置と、
前記流路における排気ガスの流れ方向において前記加熱装置よりも下流側に設けられる排気ガス浄化装置と、
前記加熱装置に含まれる前記セラミックス円筒体の前記セルが提供する第１流路と前記セラミックス円筒体の前記セルにより囲まれた筒穴が提供する第２流路の間で前記排気ガスの流路を切り替える切り替え部を備える。
【００１８】
本開示の一態様に係る加熱装置の製造方法は、セラミックス円筒体の周方向に沿ってセルが配置されたセル配列が同心円状に配置された導電性のセラミックス円筒体を押出成形に基づいて製造する工程と、
前記セラミックス円筒体に対して内側電極を固定する工程と、
前記セラミックス円筒体に対して外側電極を固定する工程を含み、
前記セラミックス円筒体の内壁部と外壁部の間で複数回の屈曲又は湾曲を伴いながら前記セラミックス円筒体の径方向に沿って延びる非直線部が、前記セラミックス円筒体において放射状に配列され、
前記内側電極及び前記外側電極は、前記内側電極と前記外側電極の間で少なくとも前記非直線部を介して放射状に電流が流れるように設けられる。
【００１９】
幾つかの形態では、前記セラミックス円筒体に対して内側電極を固定する工程は、前記セラミックス円筒体に対して前記内側電極を冷やし嵌め又は圧入する工程を含む。
【００２０】
幾つかの形態では、前記セラミックス円筒体に対して外側電極を固定する工程は、前記セラミックス円筒体に対して前記外側電極を焼き嵌めする工程を含む。
【００２１】
幾つかの形態では、前記セラミックス円筒体と前記内側電極の間には中間層が設けられる。
【００２２】
幾つかの形態では、前記セラミックス円筒体と前記外側電極の間には中間層が設けられる。
【発明の効果】
【００２３】
本開示の一態様によれば、通電時の大きな温度勾配の発生を抑制する態様でより十分な発熱量を得ることができる加熱装置を提供することができる。
【図面の簡単な説明】
【００２４】
【図１】本開示の一態様に係るシステムの概略図であり、排気ガスの流路に設けられた開閉部材の制御に基づいてセラミックス円筒体のセル又は筒穴を介して排気ガス浄化装置に排気ガスを供給することができるシステムの概略図である。
【図２】排気ガスの流路において排気ガス浄化装置よりも上流側に設けられる本開示の一態様に係る加熱装置の概略的な斜視図である。
【図３】本開示の一態様に係る加熱装置に含まれるセラミックス円筒体の第１端部の概略的な正面図である。図３においてセラミックス円筒体の内径と外径が矢印により図示される。図３において一点鎖線で示された範囲のセルの図示が省略される。
【図４】本開示の一態様に係るシステムの動作を示す概略的なタイミングチャートである。
【図５】外側電極とセラミックス円筒体の間に中間層が設けられる形態を示す概略図である。
【図６】セラミックス円筒体の軸方向に延びる溝が外側電極の内周面に形成される形態を示す概略図である。
【図７】セラミックス円筒体の軸方向に延びる溝が外側電極の外周面に形成される形態を示す概略図である。
【図８】図３における最も径方向内側に位置するセル配列と最も径方向外側に位置するセル配列が埋められた形態を示す概略図である。
【図９】セルの少なくとも１つの角部にＲ面が設けられる形態を示す概略図である。
【図１０】セルの開口形状が四角形状である形態を示す概略図である。
【図１１】セルの開口形状及び配置のバリエーションを示す概略図である。
【図１２】セルの開口形状及び配置のバリエーションを示す概略図である。
【図１３】セルの開口形状及び配置のバリエーションを示す概略図である。
【図１４】セルの開口形状及び配置のバリエーションを示す概略図である。
【図１５】セルの開口形状及び配置のバリエーションを示す概略図である。
【図１６】セルの開口形状及び配置のバリエーションを示す概略図である。
【図１７】比較例に係るセル配置を示す概略図である。
【図１８】比較例に係るセル配置及び電極配置を示す概略図である。
【発明を実施するための形態】
【００２５】
以下、図１乃至図１８を参照しつつ、本発明の非限定の実施形態について説明する。以下、ある加熱装置に関して記述される各特徴が、他の特徴との組み合わせとして理解される他、他の特徴とは独立した個別の特徴として理解される。個別の特徴の全組み合わせを記述することは当業者には冗長であり、省略される。個別の特徴は、「幾つかの形態」、又は単に「形態」という表現により明示される。個別の特徴は、例えば、図面に開示された加熱装置にのみ通用するものではなく、他の様々な加熱装置にも通用する普遍的な特徴として理解される。
【００２６】
図１は、排気ガスの流路９１に設けられた開閉部材９６の制御に基づいてセラミックス円筒体１０のセルＯＰ１０又は筒穴Ｈ１０を介して排気ガス浄化装置９３に排気ガスを供給することができるシステム９０の概略図である。図２は、排気ガスの流路９１において排気ガス浄化装置９３よりも上流側に設けられる加熱装置９２の概略的な斜視図である。図３は、加熱装置９２に含まれるセラミックス円筒体１０の第１端部１８の概略的な正面図である。図３においてセラミックス円筒体１０の内径Ｒ１と外径Ｒ２が矢印により図示される。図３において一点鎖線で示された範囲のセルＯＰ１０の図示が省略される。図４は、システム９０の動作を示す概略的なタイミングチャートである。
【００２７】
システム９０は、排気ガスが流れる流路９１と、流路９１に設けられる加熱装置９２と、流路９１に設けられる排気ガス浄化装置９３を有する。流路９１は、例えば、金属管であり、第１内径の第１管９１ｍと、第１内径よりも大きい第２内径の第２管９１ｎを有し、更に、第１管９１ｍと第２管９１ｎの間に拡径部９１ａを有する。拡径部９１ａにおいて第１管９１ｍから第２管９１ｎに向けて内径が漸増する。加熱装置９２は、流路９１における排気ガスの流れ方向において拡径部９１ａよりも下流側に設けられる。排気ガス浄化装置９３は、流路９１における排気ガスの流れ方向において加熱装置９２よりも下流側に設けられる。
【００２８】
システム９０は、更に、切り替え部９４とコントローラー９９を有する。切り替え部９４は、後述の記述からより良く理解されるように、加熱装置９２に含まれるセラミックス円筒体１０のセルＯＰ１０が提供する第１流路Ｐ１とセラミックス円筒体１０のセルＯＰ１０により囲まれた筒穴Ｈ１０が提供する第２流路Ｐ２の間で排気ガスの流路を切り替える。切り替え部９４は、駆動部９５と、駆動部９５により駆動される開閉部材９６を有する。開閉部材９６が流路９１内に置かれ、端的には、流路９１における排気ガスの流れ方向において加熱装置９２の上流側に近接して設けられる。開閉部材９６は、加熱装置９２に含まれるセラミックス円筒体１０の筒穴Ｈ１０を閉鎖する閉状態と、セラミックス円筒体１０の筒穴Ｈ１０を閉鎖しない開状態を取ることができる。幾つかの形態では、駆動部９５がステッピングモーターであり、開閉部材９６がそのモーター軸に対して固定された平板である。切り替え部９４として任意の種類のシャッターを用いることができる。他の形態としては、駆動部９５が空気圧により駆動される。空気圧開閉弁のオン・オフによりシャッター（例えば、バタフライ弁）の開閉が行われる。好ましくは、１秒以下での開閉が可能なシャッターが用いられる。
【００２９】
コントローラー９９は、切り替え部９４の動作状態を制御することができる。コントローラー９９は、制御信号Ｓ１を駆動部９５に提供し、開状態と閉状態の間で開閉部材９６の状態を制御する。切り替え部９４は、コントローラー９９から受け取る制御信号Ｓ１に応じて作動する。切り替え部９４の駆動部９５がステッピングモーターである時、制御信号Ｓ１としてのパルス信号列に応じてモーター軸が回転する。制御信号Ｓ１によりモーターの回転軸が１８０°回転する時、開閉部材９６の状態が閉状態と開状態の間で切り替えられる。なお、開閉部材９６の位置を検出して開閉部材９６の位置をフィードバック制御する形態も想定される。
【００３０】
閉状態の開閉部材９６は、流路９１を流れる排気ガスが第２流路Ｐ２、すなわち、セラミックス円筒体１０の筒穴Ｈ１０に流入することを阻止する。この状態において、排気ガスは、セラミックス円筒体１０の第１流路Ｐ１、端的には、セラミックス円筒体１０のセルＯＰ１０に流入する。セラミックス円筒体１０の第１流路Ｐ１（セルＯＰ１０）から流出した排気ガスは、加熱装置９２よりも下流側の排気ガス浄化装置９３に流入する。
【００３１】
閉状態から開状態に開閉部材９６を切り替えることにより、排気ガスが第１流路Ｐ１（セルＯＰ１０）に流入していた状態から第２流路Ｐ２（筒穴Ｈ１０）に流入する状態に推移する。セラミックス円筒体１０の第２流路Ｐ２（筒穴Ｈ１０）から流出した排気ガスは、加熱装置９２よりも下流側の排気ガス浄化装置９３に流入する。
【００３２】
排気ガスは、開閉部材９６が閉状態の時、第１流路Ｐ１（セルＯＰ１０）を通じて流れる。排気ガスは、開閉部材９６が開状態の時、第２流路Ｐ２（筒穴Ｈ１０）を通じて流れる。なお、開閉部材９６が閉状態の時、排気ガスの一部が第２流路Ｐ２（筒穴Ｈ１０）に流れることや、開閉部材９６が開状態の時、排気ガスの一部が第１流路Ｐ１（セルＯＰ１０）に流れることも想定される。開閉部材９６が閉状態と開状態の間で推移する時、排気ガスが、第１流路Ｐ１及び第２流路Ｐ２の両方に流入することも想定される。
【００３３】
コントローラー９９は、開閉部材９６の制御に加え、加熱装置９２の通電状態を制御することができる。コントローラー９９は、制御信号Ｓ２をスイッチＳＷに提供し、加熱装置９２の通電状態をオン（ＯＮ）状態とオフ（ＯＦＦ）状態の間で切り替える。なお、コントローラー９９は、アナログ回路、デジタル回路、アナログデジタル混在回路、マイコン又はこれらの任意の組み合わせにより構成可能である。加熱装置９２の通電制御のため、及び、開閉部材９６の状態制御のために別々のコントローラーが用いられる形態も想定される。制御信号Ｓ１，Ｓ２は、例えば、パルス信号である。
【００３４】
流路９１における排気ガスの流れ方向において加熱装置９２が排気ガス浄化装置９３よりも上流側に設けられ、エンジン始動時に加熱装置９２に到達する低温の排気ガスを昇温した上で排気ガス浄化装置９３に供給することができる。結果として、排気ガス浄化装置９３におけるより十分な浄化が促進される。他方、エンジン始動時から所定時間を経過した後、加熱装置９２に到達する排気ガスの温度は十分に高温であり、排気ガスを昇温する必要性が低くなる。エンジン始動時から所定時間を経過した後、開閉部材９６は、セラミックス円筒体１０の筒穴Ｈ１０を閉鎖しない開状態を取るように制御され、排気ガスは、セラミックス円筒体１０の筒穴Ｈ１０を通じて排気ガス浄化装置９３に供給される。排気ガスの浄化性能と背圧の抑制のバランスが達成される。
【００３５】
なお、排気ガス浄化装置９３は、例えば、触媒を担持したセラミックス触媒担体である。排気ガス浄化装置９３における触媒を介した化学反応により、排気ガス中の一酸化炭素（ＣＯ）、窒化酸化物（ＮＯx）、炭化水素（ＨＣ）が、二酸化炭素（ＣＯ2）、窒素（Ｎ2）、水（Ｈ2Ｏ）に酸化又は還元される。排気ガス浄化装置９３に含まれる触媒担体は、排気ガスの流れ方向に沿って延びるセルＯＰ９３（図１参照）が２次元状に配置された柱状部材であり、ハニカム構造体と呼ばれる。触媒担体は、必ずしもこの限りではないが、コージェライト（２ＭｇＯ・２Ａｌ2Ｏ3・５ＳｉＯ2）又はＳｉＣといったセラミックス材料を含む。触媒担体に担持される触媒は、例えば、白金（Ｐｔ）、パラジウム（Ｐｄ）、ロジウム（Ｒｈ）といった貴金属をアルミナ細孔表面に担持し、セリア、ジルコニア等の助触媒を含む三元触媒や酸化触媒、又は、アルカリ土類金属と白金を窒素酸化物（ＮＯｘ）の吸蔵成分として含むＮＯｘ吸蔵還元触媒が例示される。貴金属を用いない触媒として、銅置換または鉄置換ゼオライトを含むＮＯｘ選択還元触媒等が例示される。
【００３６】
加熱装置９２は、図２及び図３に示すように、導電性のセラミックス円筒体１０と、セラミックス円筒体１０の内壁部１４に電気的に結合した内側電極２０と、セラミックス円筒体１０の外壁部１５に電気的に結合した外側電極３０を有する。なお、加熱装置９２は、排気ガスの昇温する用途に限定されない。加熱装置９２は、排気ガスを浄化する用途にも使用可能である。すなわち、セラミックス円筒体１０のセルＯＰ１０を画定するリブ（例えば、後述の第１リブ１１及び第２リブ１２）が触媒を担持する形態も想定される。加熱装置９２の排ガス浄化性能が十分であれば、排気ガス浄化装置９３が省略される。
【００３７】
セラミックス円筒体１０は、導電性セラミックス材料から成る多孔体である。導電性セラミックス材料は、例えば、ＳｉＣ、Ｓｉ結合−ＳｉＣ、及びＳｉ金属含浸Ｓｉ−ＳｉＣから選択される１以上のものである。セラミックス円筒体１０は、幾つかの形態では、押出成形に基づいて製造される。ある形態では、セラミックス円筒体１０は、少なくともＳｉＣ粉末、金属Ｓｉ粉末、分散媒（例えば、水）、及び有機バインダーが混合された坏土の押出成形により得られた成形体の焼成により製造される。セラミックス円筒体１０の内径Ｒ１は、４０〜３５０ｍｍの範囲内であり、セラミックス円筒体１０の外径Ｒ２は、５０〜４００ｍｍの範囲内である。内側電極２０及び／又は外側電極３０は、例えば、銅、アルミニウム、ステンレスといった金属製電極である。内側電極２０及び／又は外側電極３０の厚みは、０．５〜２０ｍｍである。
【００３８】
セラミックス円筒体１０は、軸方向に延びる円筒体であり、第１端部１８と第１端部１８の反対側の第２端部１９を有する。セラミックス円筒体１０には、セラミックス円筒体１０の軸方向に沿って延び、セラミックス円筒体１０の第１端部１８と第２端部１９それぞれにて開口した筒穴Ｈ１０が設けられる。筒穴Ｈ１０は、セルＯＰ１０により囲まれるように位置付けられた空間であり、セラミックス円筒体１０の内壁部１４により画定される。上述のように、セルＯＰ１０が、排気ガスのための第１流路Ｐ１を提供する。筒穴Ｈ１０は、排気ガスのための第２流路Ｐ２を提供する。
【００３９】
セラミックス円筒体１０には複数のセルＯＰ１０が設けられる。セルＯＰ１０は、セラミックス円筒体１０の軸方向に沿って延び、セラミックス円筒体１０の第１端部１８と第１端部１８の反対側の第２端部１９それぞれにて開口する。換言すれば、セルＯＰ１０は、セラミックス円筒体１０の第１端部１８で第１開口端を有し、セラミックス円筒体１０の第２端部１９で第２開口端を有する。なお、セルＯＰ１０は、加熱装置９２が流路９１に配置される時、流路９１における排気ガスの流れ方向に沿って延びる。セルＯＰ１０の開口形状は、矩形状、五角形状、六角形状といった多角形状に限られず、円形状や楕円形状といった様々な形状を取ることができる。セルＯＰ１０の平均セル密度は、３０〜１４０個／ｃｍ2である。
【００４０】
セラミックス円筒体１０には、セラミックス円筒体１０の周方向に沿ってセルＯＰ１０が配置されたセル配列Ｄ１〜Ｄ５が同心円状に配置される（図３参照）。セル配列の数は、５つに限られない。幾つかの形態では、セル配列の数は、２０以下である。セラミックス円筒体１０の外径Ｒ２が流路９１の内径により制限される場合、セル配列の増加は、セラミックス円筒体１０の内径Ｒ１の減少、ひいては初期加熱期間終了後の通常運転期間の背圧の増加に帰結してしまう。各セル配列に含まれるセルＯＰ１０の個数は、例えば、５０〜２５０個である。セル配列に含まれるセルＯＰ１０の個数は、異なるセル配列の間で同一である。
【００４１】
セラミックス円筒体１０の周方向における各セルＯＰ１０の幅Ｗ４がセラミックス円筒体１０の径方向に延びる一対の第１リブ１１により画定される。セラミックス円筒体１０の径方向における各セルＯＰ１０の幅Ｗ６がセラミックス円筒体１０の周方向に延びる一対の第２リブ１２により画定される。第１リブ１１は、セラミックス円筒体１０の径方向に沿って直線的に延びる。第２リブ１２は、セラミックス円筒体１０の径方向に交差するように直線的又は弧状又は１以上の箇所で屈曲して延びる。幾つかの形態では、第１リブ１１及び第２リブ１２それぞれの厚みは、０．０５〜０．５ｍｍの範囲内である。なお、セラミックス円筒体１０の最も径方向内側に位置するセルＯＰ１０の幅Ｗ６は、内壁部１４と第２リブ１２により画定され得る。同様、セラミックス円筒体１０の最も径方向外側に位置するセルＯＰ１０の幅Ｗ６は、外壁部１５と第２リブ１２により画定され得る。
【００４２】
図３に示す形態では、セラミックス円筒体１０の最も径方向内側に位置するセルＯＰ１０とセラミックス円筒体１０の最も径方向外側に位置するセルＯＰ１０を除いて、セルＯＰ１０の開口形状は、六角形状である。セラミックス円筒体１０の最も径方向内側に位置するセルＯＰ１０の開口形状は五角形状であり、セラミックス円筒体１０の最も径方向外側に位置するセルＯＰ１０の開口形状も五角形状である。第２リブ１２は、セルＯＰ１０の六角形状の開口形状に応じて一箇所で屈曲している。
【００４３】
幾つかの形態では、セラミックス円筒体１０の内壁部１４は、セラミックス円筒体１０の最も径方向内側に位置する第２リブ１２がセラミックス円筒体１０の周方向に結合した部分である。同様、セラミックス円筒体１０の外壁部１５は、セラミックス円筒体１０の最も径方向外側に位置する第２リブ１２がセラミックス円筒体１０の周方向に結合した部分である。従って、セラミックス円筒体１０において最も径方向内側に位置するセルＯＰ１０は、一対の第１リブ１１と、一対の第２リブ１２により画定される。セラミックス円筒体１０において最も径方向外側に位置するセルＯＰ１０は、一対の第１リブ１１と、一対の第２リブ１２により画定される。
【００４４】
図４を参照してシステム９０の動作について説明する。コントローラー９９は、時刻ｔ１においてＨレベルの制御信号Ｓ２を出力し、スイッチＳＷをオン（ＯＮ）状態としてセラミックス円筒体１０の通電を開始する。セラミックス円筒体１０の通電開始に伴ってセラミックス円筒体１０の温度は上昇する。これにより、セラミックス円筒体１０の第１流路Ｐ１、すなわち、セルＯＰ１０を流れる排気ガスの温度を高めることができる。時刻ｔ２においてエンジンが始動する。エンジンの始動に伴い、エンジン回転数が徐々に増加する。エンジンの始動時、セラミックス円筒体１０が十分に高い温度に到達している。従って、エンジンから加熱装置９２に到達した排気ガスは、加熱装置９２の第１流路Ｐ１（セルＯＰ１０）を通過することにより十分に昇温される。時刻ｔ３において、コントローラー９９は、制御信号Ｓ２をＨレベルからＬレベルに切り替える。これにより、セラミックス円筒体１０の通電が終了する。
【００４５】
コントローラー９９は、時刻ｔ４においてＨレベルの制御信号Ｓ１を出力し、開閉部材９６を開状態にセットする。排気ガスは、加熱装置９２の第１流路Ｐ１（セルＯＰ１０）に代えて第２流路Ｐ２（筒穴Ｈ１０）に流入し始める。端的には、排気ガスは、セラミックス円筒体１０の筒穴Ｈ１０を介して排気ガス浄化装置９３に供給され始める。エンジンの始動時には開閉部材９６が閉状態を取り、背圧が増加してしまう。しかし、エンジン始動から所定時間が経過した後、開閉部材９６が開状態を取り、背圧が低減される。エンジン始動時、排気ガスの昇温の代償として背圧が増加してしまうが、これは、エンジンの始動時に限ったものである。
【００４６】
幾つかの形態では、時刻ｔ３、ｔ４は、エンジンの始動タイミングに同期したタイミングである。つまり、Ｌレベルの制御信号Ｓ２（つまり通電終了指令）とＨレベルの制御信号Ｓ１（流路変更指令）は、エンジンの始動に同期して生成される。幾つかの形態では、セラミックス円筒体１０の通電開始（Ｈレベルの制御信号Ｓ２）に同期してエンジンが始動する。例えば、セラミックス円筒体１０の通電開始時点から予め定められた時間の経過後、エンジンが始動される。なお、エンジンの始動後にセラミックス円筒体１０の通電が開始する形態も想定される。
【００４７】
幾つかの形態では、加熱装置９２は、流路９１の拡径部９１ａの下流側に隣接して設けられる（図１参照）。これにより開閉部材９６が開状態の時、セラミックス円筒体１０のセルＯＰ１０に排気ガスが流入することが抑制される。なお、開閉部材９６が開状態に切り替えられた後もセラミックス円筒体１０の通電を継続する形態も想定される。
【００４８】
本実施形態では、図３に示すように、セラミックス円筒体１０の内壁部１４と外壁部１５の間で複数回の屈曲又は湾曲を伴いながらセラミックス円筒体１０の径方向に沿って延びる非直線部１３が、セラミックス円筒体１０において放射状に配列される。更には、内側電極２０及び外側電極３０は、内側電極２０と外側電極３０の間で少なくとも非直線部１３を介して放射状に電流が流れるように設けられる。非直線部１３は、内側電極２０と外側電極３０の間を複数回の屈曲又は湾曲を伴いながら延びる電流路を提供し、より大きい熱量の生成が促進される。内側電極２０と外側電極３０は、セラミックス円筒体１０における放射状の電流路の形成を許容する。これにより、セラミックス円筒体１０の通電時の大きな温度勾配の発生を抑制する態様でセラミックス円筒体１０においてより十分な発熱量を得ることが促進される。
【００４９】
非直線部１３は、外壁部１５から内壁部１４に向けて又は内壁部１４から外壁部１５に向けてセラミックス円筒体１０の径方向に沿って延びる時、複数回の屈曲又は湾曲を伴いながら延びる。非直線部１３の屈曲又は湾曲の態様は、セルＯＰ１０の開口形状に応じたものであり、非直線部１３が所定角度で折れ曲がる態様に限られない。非直線部１３の屈曲回数は、セル配列の数よりも大きい。図３に示す形態では、非直線部１３の屈曲回数＝８であり、セル配列の数＝５である。
【００５０】
非直線部１３は、最も径方向外側に位置するセルＯＰ１０の外周に沿って延び、これに続いて径方向内側に隣接したセルＯＰ１０の外周に沿って延びる。非直線部１３は、径方向内側に隣接したセルＯＰ１０の外周に沿って延びることを繰り返す。最終的に、非直線部１３は、内壁部１４に到達する。非直線部１３が径方向内側から径方向外側に向けて延びる場合も同様に説明することができる。セルＯＰ１０の開口形状によっては、非直線部１３は、セラミックス円筒体１０の径方向に延びる軸線ＲＬ上を真っ直ぐに伸びる区間（つまり、第１リブ１１）を有するが、必ずしもこれに限られるものではない。
【００５１】
非直線部１３は、セラミックス円筒体１０の径方向に延びる複数の第１リブ１１を含み、複数の第１リブ１１は、セラミックス円筒体１０の径方向に延びる隣接した軸線ＲＬ上に交互に配置される。非直線部１３は、軸線ＲＬに交差するように延びる複数の第２リブ１２を含み、同一の軸線ＲＬ上で隣接する第１リブ１１は、隣接する軸線ＲＬ上の１つの第１リブ１１と、２つの第２リブ１２を介して結合する。セルＯＰ１０が六角形状の開口形状を有する形態では、軸線ＲＬ上で隣接する第１リブ１１は、同一のセルＯＰ１０を周囲する第１及び第２リブ１１，１２を介して結合する。ここで述べた同一のセルＯＰ１０を周囲する第１及び第２リブ１１，１２は、径方向内側の第２リブ１２、隣接する軸線ＲＬ上の第１リブ１１、径方向外側の第２リブ１２を含む。このような態様により、内壁部１４と外壁部１５の間における非直線部１３の長さが大きくなり、より大きな熱量の生成が促進される。なお、セルＯＰ１０が六角形状の開口形状を有する形態では、軸線ＲＬ上で隣接する第１リブ１１は、隣接する軸線ＲＬ上の位置でリブの２回の屈曲を介して結合する。
【００５２】
非直線部１３の幅Ｗ１３は、第１リブ１１の幅Ｗ１１に等しく、第２リブ１２の幅Ｗ１２に等しい。第１リブ１１の幅Ｗ１１と第２リブ１２の幅Ｗ１２が等しい場合、非直線部１３の幅Ｗ１３は一定であるものと理解される。第１リブ１１の幅Ｗ１１、第２リブ１２の幅Ｗ１２、又は非直線部１３の幅Ｗ１３が、セラミックス円筒体１０の径方向内側から径方向外側に向けて変化する形態も想定される。非直線部１３の幅Ｗ１３が一定であることは、理論的には、その非直線部１３に電流が流れる時に生じる発熱量がセラミックス円筒体１０の径方向において一定であることを促進する。非直線部１３の幅Ｗ１３は、幾つかの形態では、０．０５〜０．５ｍｍの範囲内にあり、又は、０．０５〜０．２ｍｍの範囲内にある。なお、非直線部１３の幅Ｗ１３の上限は、背圧増加の抑制の観点又は製造条件又はこれ以外の理由から制限され得る。
【００５３】
セラミックス円筒体１０における非直線部１３の放射状配列に基づいて、セラミックス円筒体１０における放射状の電流路が生じる。放射状の電流路は、内側電極２０と外側電極３０の間に形成される。端的には、内側電極２０から外側電極３０に向かって電流が放射状に流れ、又は、外側電極３０から内側電極２０に向かって電流が放射状に流れる。図３に示すように、非直線部１３は、符号（１３，１３’）により示されるようにセラミックス円筒体１０の径方向に沿って延びることもできる。全ての第１リブ１１に電流が流れる。全ての第２リブ１２に電流が流れる。仮にいずれかの第２リブ１２に電流が流れないとしても、周囲の第１又は第２リブ１１，１２から伝達する熱を受けて昇温することができる。
【００５４】
内側電極２０と外側電極３０は、放射状の電流路の形成を促進するように設けられる限りにおいて、様々な形状を取ることができる。しかしながら、セラミックス円筒体１０に対する電極の取り付け強度を高めるため、或いは、セラミックス円筒体１０と電極の間の電気的な接続不良を抑制するため、内側電極２０及び／又は外側電極３０として筒状電極が採用される。つまり、幾つかの形態では、内側電極２０及び／又は外側電極３０が筒状電極である。
【００５５】
外側電極３０として筒状電極が用いられる時、外側電極３０の電極層は、セラミックス円筒体１０の周方向に延びてセラミックス円筒体１０を囲む。外側電極３０の電極層は、セラミックス円筒体１０の外壁部１５よりも径方向外側に設けられる。外側電極３０は、セラミックス円筒体１０の外壁部１５に対して嵌め合わされ得る。内側電極２０として筒状電極が用いられる時、内側電極２０の電極層は、セラミックス円筒体１０の周方向に延びてセラミックス円筒体１０により囲まれる。内側電極２０の電極層は、セラミックス円筒体１０の内壁部１４よりも径方向内側に設けられる。内側電極２０は、セラミックス円筒体１０の内壁部１４に対して嵌め合わされ得る。
【００５６】
必ずしもこの限りではないが、筒状電極は、セラミックス円筒体１０の内壁部１４の内壁面１６の全域に亘って形成され、又は、セラミックス円筒体１０の外壁部１５の外壁面１７の全域に亘って形成される。筒状電極自体の配線抵抗が減少し、また、筒状電極とセラミックス円筒体１０の良好な電気的接続が促進される。
【００５７】
図５は、外側電極３０とセラミックス円筒体１０の間に中間層３９が設けられる形態を示す概略図である。内側電極２０とセラミックス円筒体１０の間に中間層３９を設け、又は、外側電極３０とセラミックス円筒体１０の間に中間層３９を設ける形態が想定される。中間層３９は、導電性材料から成り、セラミックス円筒体１０と電極の間の良好な電気的接続又は機械的接続を促進する。中間層３９は、例えば、鉄（Ｆｅ）、クロム（Ｃｒ）、ニッケル（Ｎｉ）、銅（Ｃｕ）、アルミニウム（Ａｌ）、モリブデン（Ｍｏ）、炭素（Ｃ）から成る群から選択される１以上の材料を含む。中間層３９は、幾つかの形態では、導電性スラリー、導電性粉体、導電性ペーストであり、セラミックス円筒体１０の内周面又は外周面に塗布される。中間層３９は、必要に応じて加熱処理（又は焼成）されて硬質層になる。中間層３９の厚みは、０．０５〜２ｍｍの範囲内である。
【００５８】
図６は、セラミックス円筒体１０の軸方向に延びる溝３８が外側電極３０の内周面に形成される形態を示す概略図である。図７は、セラミックス円筒体１０の軸方向に延びる溝３８が外側電極３０の外周面に形成される形態を示す概略図である。図６及び図７のいずれの場合においても外側電極３０として筒状電極が用いられる。このように幾つかの形態では、内側電極２０又は外側電極３０として用いられる筒状電極にはその周方向に沿って溝３８が設けられ、これにより、セラミックス円筒体１０への筒状電極の嵌め合わせが促進される。
【００５９】
筒状電極としての外側電極３０がセラミックス円筒体１０に嵌め合わされる場合、外側電極３０からセラミックス円筒体１０に対して圧力が付与される。これにより、セラミックス円筒体１０への外側電極３０のより十分な固定が促進され、また、セラミックス円筒体１０と外側電極３０のより良好な電気的接続又は機械的接続が促進される。この点は、セラミックス円筒体１０と外側電極３０の間に中間層３９が設けられる場合も同様である。上述の圧力は、セラミックス円筒体１０に対して外側電極３０を焼き嵌めることにより得られる。外側電極３０を加熱して開口径を大きくした状態で外側電極３０内にセラミックス円筒体１０を挿入又は圧入する。外側電極３０の冷却に伴い、外側電極３０の開口径が小さくなり、これにより、外側電極３０からセラミックス円筒体１０への圧力付与が生じる。
【００６０】
筒状電極としての内側電極２０がセラミックス円筒体１０に嵌め合わされる場合、内側電極２０からセラミックス円筒体１０に対して圧力が付与される。これにより、セラミックス円筒体１０への内側電極２０のより十分な固定が促進され、また、セラミックス円筒体１０と内側電極２０のより良好な電気的接続又は機械的接続が促進される。この点は、セラミックス円筒体１０と内側電極２０の間に中間層３９が設けられる場合も同様である。上述の圧力は、セラミックス円筒体１０に対して内側電極２０を冷やし嵌め又は圧入することにより得られる。内側電極２０を冷却して外径を小さくした状態でセラミックス円筒体１０の筒穴Ｈ１０内に内側電極２０を挿入又は圧入する。内側電極２０の昇温に伴い、内側電極２０の外径が大きくなり、これにより、内側電極２０からセラミックス円筒体１０への圧力付与が生じる。
【００６１】
セラミックス円筒体１０の内径Ｒ１と外径Ｒ２の関係については、０．３＜（Ｒ１／Ｒ２）を満足し、より好ましくは、０．６＜（Ｒ１／Ｒ２）を満足する。内径を小さくすればするほど、半径方向での、発熱量／熱容量比率の変化が大きくなり、温度差が大きくなる。０．３＜Ｒ１／Ｒ２又は０．６＜Ｒ１／Ｒ２を満足することにより背圧の増加を抑制することができる。幾つかの形態では、０．３＜Ｒ１／Ｒ２＜０．９を満足し、より好ましくは、０．６＜Ｒ１／Ｒ２＜０．８を満足する。
【００６２】
図８は、図３における最も径方向内側に位置するセル配列と最も径方向外側に位置するセル配列が埋められた形態を示す概略図である。最も径方向外側のセルＯＰ１０と最も径方向内側のセルＯＰ１０が埋められ、内壁部１４と外壁部１５の厚みが増加する。セラミックス円筒体１０の機械的強度が高められる。なお、内壁部１４と外壁部１５それぞれの厚みは、セラミックス円筒体１０の周方向において規則的に変化する。
【００６３】
図９は、セルＯＰ１０の少なくとも１つの角部にＲ面８０が設けられる形態を示す概略図である。セルＯＰ１０の少なくとも１つ又は各角部にはＲ面８０が形成される。換言すれば、セルＯＰ１０の角部にＲ面８０が形成されるようにセルＯＰ１０が形状付けられる。これによりセルＯＰ１０の角部での応力集中が避けられ、またセラミックス円筒体１０の機械的な強度が高められる。
【００６４】
図１０は、セルＯＰ１０の開口形状が四角形状である形態を示す概略図である。非直線部１３は、セラミックス円筒体１０の内壁部１４と外壁部１５の間で複数回の屈曲又は湾曲を伴いながらセラミックス円筒体１０の径方向に沿って延びる。非直線部１３の屈曲回数＝８であり、セル配列の数＝５である。非直線部１３は、内側電極２０と外側電極３０の間を複数回の屈曲又は湾曲を伴いながら延びる電流路を提供し、より大きい熱量の生成が促進される。内側電極２０と外側電極３０は、セラミックス円筒体１０における放射状の電流路の形成を許容する。これにより、セラミックス円筒体１０の通電時の大きな温度勾配の発生を抑制する態様でセラミックス円筒体１０においてより十分な発熱量を得ることが促進される。
【００６５】
図１１乃至図１６は、セルＯＰ１０の開口形状及び配置のバリエーションを示す概略図である。図１１に示すように、セルＯＰ１０がセラミックス円筒体１０の周方向に沿って長く延びる形状を有する形態が想定される。図１２に示すように、最も径方向内側又は最も径方向外側に位置するセルＯＰ１０を除いて、セルＯＰ１０が菱形の開口形状を有する形態が想定される。最も径方向内側又は最も径方向外側に位置するセルＯＰ１０は三角形状の開口形状を有する。内壁部１４又は外壁部１５の厚みの増加のため、最も径方向内側又は最も径方向外側に位置するセルＯＰ１０が埋められる形態も想定される。
【００６６】
図１３に示すように、セラミックス円筒体１０が、開口形状が円形状のセルＯＰ１０を有する形態が想定される。上述のように、非直線部１３の屈曲又は湾曲の態様は、セルＯＰ１０の開口形状に応じたものであり、非直線部１３が所定角度で折れ曲がる態様に限られない。非直線部１３は、内側電極２０と外側電極３０の間を複数回の湾曲を伴いながら延びる電流路を提供し、より大きい熱量の生成が促進される。内側電極２０と外側電極３０は、セラミックス円筒体１０における放射状の電流路の形成を許容する。これにより、セラミックス円筒体１０の通電時の大きな温度勾配の発生を抑制する態様でセラミックス円筒体１０においてより十分な発熱量を得ることが促進される。
【００６７】
１つのセラミックス円筒体１０においてセルＯＰ１０が異なる開口形状を有することも想定される。図１４に示す形態では、セラミックス円筒体１０は、開口形状が円形状のセルＯＰ１０、開口形状が楕円形状のセルＯＰ１０を有する。図１５に示す形態では、セラミックス円筒体１０は、開口形状が円形状のセルＯＰ１０と開口形状が矩形状のセルＯＰ１０を有する。図１６に示す形態では、セラミックス円筒体１０は、開口形状が円形状のセルＯＰ１０、開口形状が矩形状のセルＯＰ１０、及び開口形状が六角形状のセルＯＰ１０を有する。
【００６８】
非直線部１３は、内側電極２０と外側電極３０の間を複数回の屈曲又は湾曲を伴いながら延びる電流路を提供し、より大きい熱量の生成が促進される。内側電極２０と外側電極３０は、セラミックス円筒体１０における放射状の電流路の形成を許容する。これにより、セラミックス円筒体１０の通電時の大きな温度勾配の発生を抑制する態様でセラミックス円筒体１０においてより十分な発熱量を得ることが促進される。
【実施例１】
【００６９】
外径７０ｍｍ、内径５０ｍｍ、軸方向長４６ｍｍのセラミックス円筒体に内側電極と外側電極を固定した。セラミックス円筒体は、多孔質Ｓｉ結合ＳｉＣ製である。内側電極と外側電極は、各々、筒状電極であり、ステンレス製である。セラミックス円筒体におけるセルの配置は、図３に示したとおりであり、六角形セルが放射状に設けられる。ソフトウェアを用いてシミュレーションした。シミュレーション条件としては、内側電極と外側電極の間のセラミックス円筒体に１秒間に亘り電圧４５Ｖを印加した。
【実施例２】
【００７０】
外径７０ｍｍ、内径５０ｍｍ、軸方向長４６ｍｍのセラミックス円筒体に内側電極と外側電極を固定した。セラミックス円筒体は、多孔質Ｓｉ結合ＳｉＣ製である。内側電極と外側電極は、各々、筒状電極であり、ステンレス製である。セラミックス円筒体におけるセルの配置は、図１１に示したとおりである。ソフトウェアを用いてシミュレーションした。シミュレーション条件としては、内側電極と外側電極の間のセラミックス円筒体に１秒間に亘り電圧４５Ｖを印加した。
【実施例３】
【００７１】
外径７０ｍｍ、内径５０ｍｍ、軸方向長４６ｍｍのセラミックス円筒体に内側電極と外側電極を固定した。セラミックス円筒体は、多孔質Ｓｉ結合ＳｉＣ製である。内側電極と外側電極は、各々、筒状電極であり、ステンレス製である。セラミックス円筒体におけるセルの配置は、図１３に示したとおりである。ソフトウェアを用いてシミュレーションした。シミュレーション条件としては、内側電極と外側電極の間のセラミックス円筒体に１秒間に亘り電圧４５Ｖを印加した。
【００７２】
［比較例１］
外径７０ｍｍ、内径５０ｍｍ、軸方向長４６ｍｍのセラミックス円筒体に内側電極と外側電極を固定した。セラミックス円筒体は、多孔質Ｓｉ結合ＳｉＣ製である。内側電極と外側電極は、各々、筒状電極であり、ステンレス製である。セラミックス円筒体におけるセルの配置は、図１７に示したとおりである。ソフトウェアを用いてシミュレーションした。シミュレーション条件としては、内側電極と外側電極の間のセラミックス円筒体に１秒間に亘り電圧４５Ｖを印加した。
［比較例２］
【００７３】
外径１００ｍｍ、軸方向長４６ｍｍのセラミックス円柱体１００に第１外周電極１０１と第２外周電極１０２を固定した。第１外周電極１０１と第２外周電極１０２は、セラミックス円柱体１００を挟むように位置付けられる。セラミックス円柱体は、多孔質Ｓｉ結合ＳｉＣ製である。外周電極は、各々、弧状電極であり、ステンレス製である。セラミックス円柱体におけるセルの配置は、図１８に示したとおりである。ソフトウェアを用いてシミュレーションした。シミュレーション条件としては、第１外周電極と第２外周電極の間のセラミックス円筒体に１秒間に亘り電圧４５Ｖを印加した。
【００７４】
実施例と比較例それぞれについてセラミックス円筒体に生じる最高温度と最低温度の差を求めた。結果は、表１に示すとおりである。
【表１】
2020068096.tif 000003
【００７５】
比較例１では発熱量と熱容量のバランスが均一でないため、内外電極配置であっても、温度勾配を生じる。比較例２では、通電開始に応じて、第１外周電極１０１と第２外周電極１０２の間のセラミックス円柱体１００の部分に電流路が形成される。この電流路にてジュール熱が発生し、電流路に熱的に接続されたセルやリブへの熱伝導が生じる。セラミックス円柱体１００を短時間に目標温度まで昇温する場合、熱伝導よりもジュール熱が支配的であるため、セラミックス円柱体１００の断面において顕著な温度勾配が生じてしまう（表１参照）。
【００７６】
上述の開示を踏まえ、当業者は、各実施形態に対して様々な変更を加えることができる。
【符号の説明】
【００７７】
１０            セラミックス円筒体
ＯＰ１０          セル
１３            非直線部
１４            内壁部
１５            外壁部
２０            内側電極
３０            外側電極
【図１】
2020068096.tif 000004
【図２】
2020068096.tif 000005
【図３】
2020068096.tif 000006
【図４】
2020068096.tif 000007
【図５】
2020068096.tif 000008
【図６】
2020068096.tif 000009
【図７】
2020068096.tif 000010
【図８】
2020068096.tif 000011
【図９】
2020068096.tif 000012
【図１０】
2020068096.tif 000013
【図１１】
2020068096.tif 000014
【図１２】
2020068096.tif 000015
【図１３】
2020068096.tif 000016
【図１４】
2020068096.tif 000017
【図１５】
2020068096.tif 000018
【図１６】
2020068096.tif 000019
【図１７】
2020068096.tif 000020
【図１８】
2020068096.tif 000021